(57)【要約】【課題】簡素且つ省スペースな構成でありながら、書類等の平面状の被写体を撮像できる撮像装置及び電子機器を提供する。【解決手段】位置Ｏと位置Ｑの間の位置Ｆを、撮像光学系１０１の合焦位置とするように、光学系駆動部１０５を駆動するので、書類DCM上で撮像装置CAから遠方側（位置Ｑ近傍）の文字等が撮像光学系１０１の合焦位置に近くなるため、図３のＭＴＦ曲線で示すように、高解像度で撮像することができる。一方、書類DCM上で撮像装置ＣＡに近接する側（位置Ｐ近傍）の文字等は、合焦位置からは遠いのでピンぼけになる恐れは残るが、多くは図３のＭＴＦ曲線で示すように被写界深度に助けられて高解像度で撮像され、また例えピンぼけになった文字が一部にあったとしても、その画角が大きいために読み取りは容易となる。よって被写体全体として、良好な撮像を行うことができる。【選択図】図３
2010124406.tif 000002
【特許請求の範囲】
【請求項１】
撮像素子と、
前記撮像素子の受光面に光学像を結像させる、焦点位置調節が可能な撮像光学系と，
前記撮像光学系の合焦位置を制御する合焦位置制御手段，とを備え、前記撮像光学系の光軸に対して傾斜し、およそ平面で規定される被写体を撮像する撮像装置であって、
前記合焦位置制御手段は、撮像時に、合焦位置を光軸中心位置よりも遠方になるように、前記撮像光学系を制御することを特徴とする撮像装置。
【請求項２】
前記合焦位置制御手段は、自動的に合焦位置を求めて、光軸中心位置よりも遠方になるように、前記撮像光学系を制御することを特徴とする請求項１に記載の撮像装置。
【請求項３】
前記合焦位置制御手段は、前記受光面に光学像を結像した前記撮像素子の信号を処理することで、合焦位置を検出するようになっていることを特徴とする請求項２に記載の撮像装置。
【請求項４】
前記合焦位置制御手段は、前記受光面に光学像を結像した前記撮像素子の信号を処理することで、前記被写体の輪郭を抽出するようになっており、抽出された前記被写体の輪郭の範囲内で、合焦位置を光軸中心位置よりも遠方になるように、前記撮像光学系を制御することを特徴とする請求項１〜３のいずれかに記載の撮像装置。
【請求項５】
前記合焦位置制御手段は、前記受光面に光学像を結像した前記撮像素子の信号を処理することで、前記被写体の輪郭を抽出するようになっており、前記被写体の輪郭を合焦距離に応じて複数個に分割して撮像を行い、分割して撮像した画像を結合することで前記被写体の全体画像を取得することを特徴とする請求項１〜４のいずれかに記載の撮像装置。
【請求項６】
おおよそ鉛直方向に延在する被写体を撮像する第１撮像モードと、おおよそ水平方向に延在する被写体を撮像する第２撮像モードと、を設定可能となっており、前記第２撮影モードが選択されたときは、前記合焦位置制御手段は、撮像時に、合焦位置を光軸中心位置よりも遠方になるように、前記撮像光学系を制御することを特徴とする請求項１〜５のいずれかに記載の撮像装置。
【請求項７】
前記撮像光学系の光軸の向きを検出するセンサを有し、前記センサが、前記撮像光学系の光軸が水平方向より上方を向いていることを検出した場合には、前記第１撮像モードを選択し、前記撮像光学系の光軸が水平方向より下方を向いていることを検出した場合には、前記第２撮像モードを選択することを特徴とする請求項６に記載の撮像装置。
【請求項８】
請求項１〜７のいずれかに記載の撮像装置を有することを特徴とする電子機器。
【請求項９】
前記受光面に光学像を結像した前記撮像素子の信号に基づいて前記被写体の画像を表示するモニタを、前記撮像装置の正面側に有することを特徴とする請求項８に記載の電子機器。
【請求項１０】
前記受光面に光学像を結像した前記撮像素子の信号に基づいて前記被写体の画像を表示するサブモニタを、前記撮像装置の背面側に有することを特徴とする請求項８又は９に記載の電子機器。
【請求項１１】
前記電子機器は、情報を入力するキーボードを有し、前記受光面に光学像を結像した前記撮像素子の信号に基づいて前記被写体の画像を表示するサブモニタを、前記キーボード上に有することを特徴とする請求項８〜１０のいずれかに記載の電子機器。
【発明の詳細な説明】
【技術分野】
【０００１】
本発明は、CCD(Charge Coupled Devices)型イメージセンサやCMOS(Complementary Metal-Oxide Semiconductor)型イメージセンサ等の固体撮像素子を用いた撮像装置及び電子機器に関する。
【背景技術】
【０００２】
近年、ＣＣＤ型イメージセンサやＣＭＯＳ型イメージセンサ等の固体撮像素子を用いた撮像装置が搭載されたビデオカメラ、デジタルカメラの普及が進み、より高画質の画像が得られるよう高画素数を有する固体撮像素子を使用した撮像装置を搭載したものが市揚に供給されるようになってきた。又、インターネットの普及に伴い、パソコンに取り付けて、送信者の画像を取得して相手先に伝送するための、いわゆるウェブカメラなども既に市販されている。
【０００３】
ところで、情報セキュリティの観点，あるいは手書き書面を用いた遠隔コミュニケーションのために，書類を電子化するニーズが増している。書類を電子化するために従来から用いられている機器としてスキャナがある。しかるにスキャナは、撮像光学系に正対する像面を撮影するものであって，特に文字を含むような書類を卓上で電子化する際にはラインセンサを備えた大型のスキャナ装置を用いることが多いが、装置自体が比較的嵩張るという問題がある。一方、デジタルカメラをスキャナの代わりに用いることもあるが、この場合、像面とデジタルカメラとをある程度距離を置いて正対させながら撮影する必要があるので、被写体となる紙の資料等を、わざわざ床面などに載置して撮像を行わなくてはならず、使い勝手が良くないという問題がある。
【０００４】
これに対し、ノート型パソコン等に内蔵もしくは外付けされたウェブカメラを用いて、紙の資料を電子化できれば、低コストであって卓上の有効利用も図れるという利点がある。ところが、ウェブカメラは，ＴＶ会議用途を想定したものであり，被写体の像面が正対することを想定しているため、卓上に載置した書類を撮影すると、最近接位置と最遠方位置との距離差が大きく、適切な書類の画像を得られないという問題がある。
【特許文献１】特開２００７−３２４６５５号公報
【発明の開示】
【発明が解決しようとする課題】
【０００５】
これに対し特許文献１には、パソコン上に取り付けたデジタルカメラで、斜め上から書類を撮像した後、画像処理によって画像の歪みを修正する技術が開示されている。しかしながら、画像処理により画像の歪みなどをある程度修正することはできるが、書類上の文字等がピンぼけの状態で撮像されてしまうと、取得した画像からでは、もはや文字等の判読が困難になるという問題がある。
【０００６】
本発明は、このような問題点に鑑みてなされたものであり、簡素且つ省スペースな構成でありながら、書類等の平面状の被写体を撮像できる撮像装置及び電子機器を提供することを目的とする。
【課題を解決するための手段】
【０００７】
請求項１に記載の撮像装置は、
撮像素子と、
前記撮像素子の受光面に光学像を結像させる、焦点位置調節が可能な撮像光学系と，
前記撮像光学系の合焦位置を制御する合焦位置制御手段，とを備え、前記撮像光学系の光軸に対して傾斜し、およそ平面で規定される被写体を撮像する撮像装置であって、
前記合焦位置制御手段は、撮像時に、合焦位置を光軸中心位置よりも遠方になるように、前記撮像光学系を制御することを特徴とする。
【０００８】
例えば、ノート型パソコンのモニタ上に配置されたウェブカメラで、キーボードの手前の卓上に載置された書類を撮影しようとすると、ウェブカメラに近い側の書類上の文字は画角が大きくなるが、ウェブカメラより遠い側の書類上の文字は画角が小さくなってしまう。よって、撮像光学系の合焦位置が、書類の中心より下方である場合、最も遠方の文字が撮像されたとき読み取り不能になる恐れがある。
【０００９】
これに対し、本発明によれば、前記合焦位置制御手段が、撮像時に、合焦位置を光軸中心位置よりも遠方になるように、前記撮像光学系を制御するので、例えば書類上で前記撮像装置から最も遠方の文字等が前記撮像光学系の合焦位置に近くなるため、高解像度で撮像することができる。一方、書類上で前記撮像装置に近接する側の文字等は、合焦位置からは遠いのでピンぼけになる恐れは残るが、多くは被写界深度によって高解像度で撮像され、また例えピンぼけになった文字が一部にあったとしても、その画角が大きいために読み取りは容易となる。よって被写体全体として、良好な撮像を行うことができる。
【００１０】
請求項２に記載の撮像装置は、請求項１に記載の発明において、前記合焦位置制御手段は、自動的に合焦位置を求めて、光軸中心位置よりも遠方になるように、前記撮像光学系を制御するので、便利である。但し、ユーザの意思により手動で合焦位置を決定しても良い。
【００１１】
請求項３に記載の撮像装置は、請求項２に記載の発明において、前記合焦位置制御手段は、前記受光面に光学像を結像した前記撮像素子の信号を処理することで、合焦位置を検出するようになっていることを特徴とするので、別個に測距装置を設ける必要がなくコスト低減を図れる。
【００１２】
請求項４に記載の撮像装置は、請求項１〜３のいずれかに記載の発明において、前記合焦位置制御手段は、前記受光面に光学像を結像した前記撮像素子の信号を処理することで、前記被写体の輪郭を抽出するようになっており、抽出された前記被写体の輪郭の範囲内で、合焦位置を光軸中心位置よりも遠方になるように、前記撮像光学系を制御することを特徴とするので、精度良く合焦位置を定めることができる。
【００１３】
請求項５に記載の撮像装置は、請求項１〜４のいずれかに記載の発明において、前記合焦位置制御手段は、前記受光面に光学像を結像した前記撮像素子の信号を処理することで、前記被写体の輪郭を抽出するようになっており、前記被写体の輪郭を合焦距離に応じて複数個に分割して撮像を行い、分割して撮像した画像を結合することで前記被写体の全体画像を取得することを特徴とするので、より鮮明な画像を得ることができる。
【００１４】
請求項６に記載の撮像装置は、請求項１〜５のいずれかに記載の発明において、おおよそ鉛直方向に延在する被写体を撮像する第１撮像モードと、おおよそ水平方向に延在する被写体を撮像する第２撮像モードと、を設定可能となっており、前記第２撮影モードが選択されたときは、前記合焦位置制御手段は、撮像時に、合焦位置を光軸中心位置よりも遠方になるように、前記撮像光学系を制御することを特徴とするので、自動的に書類等の撮像に適した状態になるためユーザーフレンドリーである。
【００１５】
請求項７に記載の撮像装置は、請求項６に記載の発明において、前記撮像光学系の光軸の向きを検出するセンサを有し、前記センサが、前記撮像光学系の光軸が水平方向より上方を向いていることを検出した場合には、前記第１撮像モードを選択し、前記撮像光学系の光軸が水平方向より下方を向いていることを検出した場合には、前記第２撮像モードを選択することを特徴とするので、自動的に書類等の撮像に適した状態になるためユーザーフレンドリーである。
【００１６】
請求項８に記載の電子機器は、請求項１〜７のいずれかに記載の撮像装置を有することを特徴とする。電子機器としては、パソコン（ノート型含む）、携帯電話、ＰＤＡなど種々の機器がある。
【００１７】
請求項９に記載の電子機器置は、請求項８に記載の発明において、前記受光面に光学像を結像した前記撮像素子の信号に基づいて前記被写体の画像を表示するモニタを、前記撮像装置の正面側に有することを特徴とする。
【００１８】
請求項１０に記載の電子機器は、請求項８又は９に記載の発明において、前記受光面に光学像を結像した前記撮像素子の信号に基づいて前記被写体の画像を表示するサブモニタを、前記撮像装置の背面側に有することを特徴とする。
【００１９】
請求項１１に記載の電子機器は、請求項８〜１０のいずれかに記載の発明において、前記電子機器は、情報を入力するキーボードを有し、前記受光面に光学像を結像した前記撮像素子の信号に基づいて前記被写体の画像を表示するサブモニタを、前記キーボード上に有することを特徴とする。
【発明の効果】
【００２０】
本発明によれば、簡素且つ省スペースな構成でありながら、書類等の平面状の被写体を撮像できる撮像装置及び電子機器を提供することができる。
【発明を実施するための最良の形態】
【００２１】
以下、本発明の実施の形態を図面に基づいて説明する。図１は、本実施の形態にかかる撮像装置ＣＡを搭載したノート型パソコンＰＣの斜視図である。図２は、本実施の形態にかかる撮像装置ＣＡを搭載したノート型パソコンＰＣのブロック図である。図３は、ノート型パソコンＰＣの近傍に、文字や絵が描かれたＡ４の書類DCMを配置した状態を側方から見た図であり、書類ＤＣＭに対応する被写体距離のＭＴＦ（被写界深度）曲線と共に示している。ＭＴＦ曲線では縦軸の値が大きくなるほど解像度が高くなる。
【００２２】
図１に示すように、ノート型パソコンＰＣは、本体ＰＣＢとディスプレイ部ＰＣＤがヒンジＰＣＨで連結されて折り畳み可能となっており、撮像装置CAは、ディスプレイ部ＰＣＤにおけるモニタ１１２の中央上方に設けられており、即ちモニタ１１２は撮像装置ＣＡの正面側にある。尚、撮像装置ＣＡは、ノート型パソコンＰＣに内蔵することで、パソコン側の画像処理回路を流用できるため、簡素な構成とできる。又、ディスプレイ部ＰＣＤを撮像装置ＣＡの支持部として流用できるため、書類DCMの撮像時における画角をある程度確保できるという利点もある。
【００２３】
図２において、撮像装置ＣＡは、撮像光学系１０１と、固体撮像素子１０２と、Ａ／Ｄ変換部１０３とを有する。一方、ノート型パソコンＰＣは、制御部１０４と、光学系駆動部１０５と、タイミング発生部１０６と、撮像素子駆動部１０７と、画像メモリ１０８と、画像処理部１０９と、画像圧縮部１１０と、画像記録部１１１と、モニタ１１２と、キーボード１１３とを備えて構成され、それ以外にも通常のパソコンに用いるデバイスを備えているが、ここでは省略する。撮像装置ＣＡは、ノート型パソコンＰＣに対して傾動可能となっていると好ましい。
【００２４】
撮像光学系１０１は、被写体像を固体撮像素子１０２の撮像面（受光面）に結像させる機能を有する。固体撮像素子１０２は、ＣＣＤやＣＭＯＳ等の撮像素子であり、入射光をＲ、Ｇ、Ｂ毎に光電変換してそのアナログ信号を出力する。Ａ／Ｄ変換部１０３は、アナログ信号をデジタルの画像データに変換する。
【００２５】
制御部１０４は、撮像装置ＣＡを制御する機能を有する。制御部１０４は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）を含み、ＲＯＭから読み出されてＲＡＭに展開された各種プログラムと、ＣＰＵとの協働で各種処理を実行する。
【００２６】
光学系駆動部１０５は、制御部１０４の制御により、合焦、露出等において、撮像光学系１０１を駆動制御する。光学系駆動部１０５と制御部１０４とで、合焦位置制御手段を構成する。タイミング発生部１０６は、アナログ信号出力用のタイミング信号を出力する。撮像素子駆動部１０７は、固体撮像素子１０２を走査駆動制御する。
【００２７】
画像メモリ１０８は、画像データを読み出し及び書き込み可能に記憶する。画像処理部１０９は、画像データに各種画像処理を施す。画像圧縮部１１０は、ＪＰＥＧ（Ｊｏｉｎｔ Ｐｈｏｔｏｇｒａｐｈｉｃ Ｅｘｐｅｒｔｓ Ｇｒｏｕｐ）等の圧縮方式により、撮像画像データを圧縮する。画像記録部１１１は、図示しないスロットにセットされた、メモリカード等の記録メディアに画像データを記録する。
【００２８】
モニタ１１２は、カラー液晶パネル等であり、撮影後の画像データ、撮影前のスルー画像等を表示することができる。キーボード１１３は、モード設定コマンドや、情報を入力するための各種操作キーを含み、ユーザにより操作入力された情報を制御部１０４に出力する。
【００２９】
ここで、撮像装置ＣＡ及びノート型パソコンＰＣにおける動作を説明する。ユーザは、キーボード１１３を用いて、自己（おおよそ鉛直方向に延在する被写体）を撮影可能な第１撮像モードと、書類ＤＣＭ（おおよそ水平方向に延在する被写体）を撮影可能な第２撮像モードのいずれかを選択できる。
【００３０】
まず、第１撮像モードを設定した場合について説明する。第１撮像モードでは、被写体のモニタリング（スルー画像表示）と、必要に応じて画像撮影実行とが行われる。モニタリングにおいては、撮像光学系１０１を介して得られた被写体の像が、固体撮像素子１０２の受光面に結像される。撮像光学系１０１の撮影光軸後方に配置された固体撮像素子１０２が、タイミング発生部１０６、撮像素子駆動部１０７によって走査駆動され、一定周期毎に結像した光像に対応する光電変換出力としてのアナログ信号を１画面分出力する。
【００３１】
このアナログ信号は、ＲＧＢの各原色成分毎に適宜ゲイン調整された後に、Ａ／Ｄ変換部１０３でデジタルデータに変換される。そのデジタルデータは、画像処理部１０９により、画素補間処理及びγ補正処理を含むカラープロセス処理が行なわれて、デジタル値の輝度信号Ｙ及び色差信号Ｃｂ、Ｃｒ（画像データ）が生成されて画像メモリ１０８に格納され、定期的にその信号が読み出されてそのビデオ信号が生成されて、モニタ１１２に出力され、またインターネットを介して接続された相手先に伝送される。
【００３２】
このモニタ１１２は、モニタリングにおいては電子ファインダとして機能し、撮像画像をリアルタイムに表示することとなる。この状態で、随時、像面ＡＦにより、光学系駆動部１０５の駆動により撮像光学系１０１の合焦、露出等が設定される。
【００３３】
このようなモニタリング状態において、静止画撮影を行ないたいタイミングで、ユーザがキーボード１１３の所定のキーを操作することにより、静止画像データを取得することもできる。かかるキー操作に応じて、画像メモリ１０８に格納された１コマの画像データが読み出されて、画像圧縮部１１０により圧縮される。その圧縮された画像データが、画像記録部１１１により記録メディアに記録される。
【００３４】
次に、第２撮像モードを設定した場合について説明する。第２撮像モードでも、上述と同様に、被写体のモニタリング（スルー画像表示）と、画像撮影実行とが行われる。ここで、書類DCMを撮像しやすいように、ユーザがモニタ１１２に表示される画像を視認しながら、撮像装置CA自体を手前に傾けても良いし、或いはモニタ１１２と撮像装置CAと一体で傾けても良い。かかる状態で、撮像光学系１０１の光軸中心は、卓上に載置された書類ＤＣＭに位置することとなる。この位置をＯとする（図３参照）
【００３５】
まず、制御部１０４は、モニタリングの最中に、固体撮像素子１０２からの信号に基づいて、卓上に載置された書類ＤＣＭの輪郭ＦＲ（図１）を撮影画角の範囲内で検出する。輪郭の検出については、エッジ強調を用いる技術などで知られているので説明を省略する。尚、撮像する書類をＡ４等に限定すれば、その規格寸法と載置された場所（キーボードに隣接）より輪郭を推定することもできる。斜め方向に撮影するために画像は台形に歪んだ像として撮影され記録されるために補正が必要であるが、前記推定された輪郭情報を用いて台形補正をすることも可能である。
【００３６】
次いで、図３を参照して、検出した書類ＤＣＭの輪郭ＦＲより、撮像光学系１０１の光軸中心位置Ｏ（即ち画面中心）と、撮像装置ＣＡから最も遠方の輪郭ＦＲの位置Ｑとを求め、その中心の位置Ｆを撮像光学系１０１の合焦位置とするように、光学系駆動部１０５を駆動する。合焦は、上述したように像面ＡＦで自動的に行うと良いが、別に測距装置を設けても良い。尚、合焦位置Ｆは、位置Ｏと位置Ｑとの中心でなく、位置Ｏと位置Ｑの間ならいずれでも良い。ここで、撮像装置ＣＡに最も近接した輪郭ＦＲの位置をＰとすると、距離ＰＯ＜距離ＰＦ＜距離ＰＱが成立する。但し、撮像画角を有効に使い高画質な画像を得るためには、距離ＰＯ＞距離ＯＱとすることが望ましい。
【００３７】
かかる状態で、ユーザがキーボード１１３の所定のキーを操作することにより、静止画像データを取得することができる。かかるキー操作に応じて、画像メモリ１０８に格納された１コマの画像データが読み出されて、画像圧縮部１１０により圧縮される。その圧縮された画像データが、画像記録部１１１により記録メディアに記録される。このとき、例えばＡ４の書類DCMは台形に撮像されるので、撮像装置CAの遠方側の画像の横幅を、距離に応じて増大させるように画像処理を施しても良い。
【００３８】
本実施の形態によれば、位置Ｏと位置Ｑの間の位置Ｆを、撮像光学系１０１の合焦位置とするように、光学系駆動部１０５を駆動するので、書類DCM上で撮像装置CAから遠方側（位置Ｑ近傍）の文字等が撮像光学系１０１の合焦位置に近くなるため、図３のＭＴＦ曲線で示すように高解像度で撮像することができる。一方、書類DCM上で撮像装置ＣＡに近接する側（位置Ｐ近傍）の文字等は、合焦位置からは遠いのでピンぼけになる恐れは残るが、多くは図３のＭＴＦ曲線で示すように被写界深度に助けられて高解像度で撮像され、また例えピンぼけになった文字が一部にあったとしても、その撮像面での像が大きいために読み取りは容易となる。よって被写体全体として、良好な撮像を行うことができる。
【００３９】
なお、制御部１０４は、固体撮像素子１０２からの信号に基づいて、卓上に載置された書類ＤＣＭの輪郭ＦＲを抽出したときに、輪郭ＦＲ内を合焦距離に応じて複数個（例えば図３で、位置Ｐと位置Ｏとの間の領域、及び位置Ｏと位置Ｑとの間の領域）に分割して撮像を行い、分割して撮像した画像を画像処理にて結合することで書類ＤＣＭの全体画像を取得しても良い。
【００４０】
図４は、変形例にかかるノート型パソコンを示す図である。本実施の形態においては、撮像装置ＣＡ又はノート型パソコンＰＣに、加速度センサＳＳが備えられており、重力方向に対する撮像光学系１０１の光軸の向きを検出できるようになっている。上述した実施の形態では、第１撮像モードと第２撮像モードのいずれかを、ユーザが選択出来るようにしたが、本実施の形態では自動で選択できる。
【００４１】
より具体的には、センサＳＳが、撮像光学系１０１の光軸が水平方向より上方を向いていることを検出した場合には、制御部１０４は、図４に点線で示すようにモニタ１１２がユーザに正対する位置になるから、自己を撮像する意図があると判断して、第１撮像モードを選択する。一方、撮像光学系１０１の光軸が水平方向より下方を向いていることを検出した場合には、制御部１０４は、図４に実線で示すように撮像装置CAが書類DCMを向いており、ユーザが書類DCMを撮像する意図があると判断して、第２撮像モードを選択する。これにより、モード選択におけるユーザの手間が省ける。
【００４２】
図５は、更に別な変形例にかかる撮像装置CAを示す図である。図示していないが、撮像装置ＣＡは、ノート型パソコン等の電子機器に接続されている。撮像装置CAは、ノート型パソコンＰＣに内蔵されている必要はなく、図５に示すように支柱ＰＬにより支持されて用いられても良いし、図６に示すようにデスクトップ型パソコン（不図示）に接続されたモニタ装置のディスプレイ部ＭＮＴの中央上方に設けられ用いられても良い。図４、図６に示した実施例では撮像装置CAをディスプレイの上部中央に配置したがそれに限るものではなく、撮像装置CAの配置はデザイン性や配線距離などを考慮してディスプレイ部の横や下方、裏面、にすることもできる。或いは、パソコンのディスプレイ部等にクリップ等で外付けするタイプであっても良い。
【００４３】
以上、本発明を実施の形態を参照して説明してきたが、本発明は上記実施の形態に限定して解釈されるべきではなく、適宜変更・改良が可能であることはもちろんである。例えば、被写体の画像を表示するサブモニタ１１２ｂを、図１に示すように、ノート型パソコンＰＣのキーボード１１３の近傍に設けても良いし、或いは、点線で示すサブモニタ１１２ａを、ノート型パソコンＰＣのディスプレイ部ＰＣＤの背面側に設けても良い。これにより、書類DCM側にディスプレイ部ＰＣＤを傾けても、表示される画像の視認が可能となる。
【図面の簡単な説明】
【００４４】
【図１】本実施の形態にかかる撮像装置ＣＡを搭載したノート型パソコンＰＣの斜視図である。
【図２】本実施の形態にかかる撮像装置ＣＡを搭載したノート型パソコンＰＣのブロック図である。
【図３】ノート型パソコンＰＣの近傍に書類DCMを配置した状態で、側方から見た図である。
【図４】変形例にかかるノート型パソコンを示す図である。
【図５】更に別な変形例にかかる撮像装置CAを示す図である。
【図６】更に別な変形例にかかる撮像装置CAを示す図である。
【符号の説明】
【００４５】
１０１ 撮像光学系
１０２ 固体撮像素子
１０３ 変換部
１０４ 制御部
１０５ 光学系駆動部
１０６ タイミング発生部
１０７ 撮像素子駆動部
１０８ 画像メモリ
１０９ 画像処理部
１１０ 画像圧縮部
１１１ 画像記録部
１１２ モニタ
１１２ｂ サブモニタ
１１３ キーボード
ＣＡ 撮像装置
ＤＣＭ 書類
ＦＲ 輪郭
ＰＣ ノート型パソコン
ＳＳ 加速度センサ
【図１】
2010124406.tif 000003
【図２】
2010124406.tif 000004
【図３】
2010124406.tif 000005
【図４】
2010124406.tif 000006
【図５】
2010124406.tif 000007
【図６】
2010124406.tif 000008